(57)【要約】【課題】遊戯装置の制御部を偽物とすりかえる行為の有無を高い信頼性において確認できる、遊戯装置制御部の認証用ラベル及び認証方法を提供する。【解決手段】認証用ラベル(1)は、裏面に粘着部を有するシート状部材からなり、該シート状部材の表面に設けられた認証部(2)と、遊戯装置制御部(4)に貼付された後の剥離行為を示す剥離行為表示部(3)を備える。該認証部は、アデニン、シトシン、グアニン、チミンで構成した人工ＤＮＡと、所定の光を照射した場合にのみ発光をする蛍光剤と、を含有するインキで表示されている。本発明にかかる認証方法は該認証用ラベルを用い、該剥離行為表示部の表示に基づいて行う第一の認証と、該認証部に該所定の光を照射した場合の発光の有無に基づいて行う第二の認証と、該人工ＤＮＡの抽出、分析により得られた結果に基づいて行う第三の認証の少なくとも一つの認証により、該遊戯装置制御部のすりかえ行為発生の有無を確認する。【選択図】図１
2005107154.tif 000002
【特許請求の範囲】
【請求項１】
裏面に粘着部を有するシート状部材からなり、該シート状部材の表面に設けられた認証部(2)と、遊戯装置制御部(4)に貼付された後の剥離行為を示す剥離行為表示部(3)と、を備え、
該認証部(2)は、アデニン、シトシン、グアニン、チミンで構成した人工ＤＮＡと、所定の光を照射した場合にのみ発光をする蛍光剤と、を含有するインキで表示されていることを特徴とする認証用ラベル(1)。
【請求項２】
該シート状部材は、二層となっており、両層の接合部の所々に接合力の弱い部分が設けられ、該シート状部材の全面が該剥離行為表示部(3)となっている請求項１に記載の認証用ラベル(1)。
【請求項３】
裏面に粘着部を有するシート状部材からなり、該シート状部材の表面に設けられた認証部(2)と、遊戯装置制御部(4)に貼付された後の剥離行為を示す剥離行為表示部(3)と、を備え、該認証部(2)は、アデニン、シトシン、グアニン、チミンで構成した人工ＤＮＡと、所定の光を照射した場合にのみ発光をする蛍光剤と、を含有するインキで表示されている認証用ラベル(1)を用いたもので、
該剥離行為表示部(3)の表示に基づいて行う第一の認証と、
該認証部(2)に該所定の光を照射した場合の発光の有無に基づいて行う第二の認証と、
該人工ＤＮＡの抽出、分析により得られた結果に基づいて行う第三の認証の少なくとも一つの認証により、該遊戯装置制御部(4)のすりかえ行為発生の有無を確認することを特徴とする認証方法。
【請求項４】
該シート状部材は、二層となっており、両層の接合部の所々に接合力の弱い部分が設けられ、該第一の認証は、該接合力の弱い部分が該遊戯装置制御部上に残ることにより該シート状部材の全面に浮き出る所定の印の有無の確認である請求項３に記載の認証方法。
【請求項５】
該認証用ラベル(1)は、付与された通し番号(5)に基づき管理されている請求項３または４に記載の認証方法。
【請求項６】
該認証用ラベル(1)は、該遊戯装置制御部(4)と該遊戯装置制御部(4)を取付けるための取付用部(6)にわたって貼付されるようになっている請求項３〜５のいずれか一つの項に記載の認証方法。
【請求項７】
該認証用ラベル(1)は、直線上に対向する少なくとも２点に貼付されている請求項６に記載の認証方法。
【請求項８】
該認証用ラベル(1)は、該遊戯装置制御部(4)にのみ貼付されている請求項３〜５のいずれか一つの項に記載の認証方法。
【発明の詳細な説明】
【技術分野】
【０００１】
本発明は、パチンコのＲＯＭ等、遊戯装置の制御部を偽物とすりかえる行為の有無を確認できる認証用ラベル及び認証方法に関するものである。
【背景技術】
【０００２】
近年、デジタル機器の進歩と共にコピー・偽造の技術も著しい進歩を遂げているが、そのような技術進歩の下、パチンコの制御部（ＲＯＭ）を偽物とすりかえ出玉確率を変更することによって不正に玉を取得する、いわゆるゴト行為が社会問題となっている。そして、このゴト行為を排除する方法として、例えば、特開２０００−２４２６９号に開示されている部品情報管理システムがある。
【０００３】
上記部品情報管理システムは、遊戯装置に正常なＲＯＭが装着されているか否かのチェックに使用する部品管理台帳を正確かつ簡単に作成するものである。
このシステムでは、製造番号等の情報が記録された非接触無線タグが遊戯装置に装着される部品（ＲＯＭ）に貼付され、また、遊戯装置番号及び基板番号に対応したバーコードが描かれたラベルが遊戯装置及び基板に貼付され、これらタグやラベルを読み取って得られる情報に基づいて正確な部品管理台帳が簡単に作成されるようになっている。
【特許文献１】特開２０００−２４２６９号公報
【発明の開示】
【発明が解決しようとする課題】
【０００４】
しかしながら、上記部品情報管理システムによれば、非接触無線タグやラベルそのものが偽造されるおそれがあった。そして、正常なＲＯＭとすりかえた偽ＲＯＭに、偽造されたタグが貼付されている場合、その偽ＲＯＭを正常なＲＯＭと誤認してしまうおそれがあった。
【０００５】
そこで、本発明の目的は、パチンコのＲＯＭ等、遊戯装置の制御部を偽物とすりかえる行為の有無を高い信頼性において確認できる、遊戯装置制御部の認証用ラベル及び認証方法を提供することにある。
【課題を解決するための手段】
【０００６】
本発明にかかる認証用ラベルは、裏面に粘着部を有するシート状部材からなり、該シート状部材の表面に設けられた認証部と、遊戯装置制御部に貼付された後の剥離行為を示す剥離行為表示部とを備える。該認証部は、アデニン、シトシン、グアニン、チミンで構成した人工ＤＮＡと、所定の光を照射した場合にのみ発光をする蛍光剤と、を含有するインキで表示されている。なお、本発明において人工ＤＮＡとは、複数の記号が複数のパターンで繰り返し出現して構成される情報に従って、アデニン、シトシン、グアニン、チミンの何れかの塩基を各パターン同士で重複することなく対応させて構成したものである。また、剥離行為表示部は、認証用ラベルを用いて認証を行う者が視認できる位置であれば、シート状部材のどの部位に設けてもよい。例えば、シート状部材が透明であり、遊戯装置制御部に貼付された状態でも表面を通して裏面が確認できるものであれば、その裏面に設けてもよい。
【０００７】
該シート状部材は、二層となっており、両層の接合部の所々に接合力の弱い部分が設けられ、該シート状部材の全面が該剥離行為表示部となっていてもよい。
【０００８】
本発明にかかる認証方法は、本発明にかかる認証用ラベルを用いる。そして、該剥離行為表示部の表示に基づいて行う第一の認証と、該認証部に該所定の光を照射した場合の発光の有無に基づいて行う第二の認証と、該人工ＤＮＡの抽出、分析により得られた結果に基づいて行う第三の認証の少なくとも一つの認証により、該遊戯装置制御部のすりかえ行為発生の有無を確認する。
【０００９】
本発明にかかる認証方法において、該シート状部材は、二層となっており、両層の接合部の所々に接合力の弱い部分が設けられ、該第一の認証は、該接合力の弱い部分が該遊戯装置制御部上に残ることにより該シート状部材の全面に浮き出る印の有無の確認であってもよい。
【００１０】
本発明にかかる認証方法において、該認証用ラベルは、付与された通し番号に基づき管理されていてもよい。
【００１１】
本発明にかかる認証方法において、該認証用ラベルは、該遊戯装置制御部と該遊戯装置制御部を取付けるための取付用部にわたって貼付されるようになっていてもよい。そして、この場合、該認証用ラベルは、直線上に対向する少なくとも２点に貼付されていてもよい。
【００１２】
本発明にかかる認証方法において、該認証用ラベルは、該遊戯装置制御部にのみ貼付されるようになっていてもよい。
【発明の効果】
【００１３】
本発明によれば、遊戯装置制御部に貼付された認証用ラベルが剥がされたかどうかを剥離行為表示部により、そして偽造されたものであるかどうかを認証部により確認することで、遊戯装置制御部を偽物とすりかえる行為があったかどうかを高い信頼性において確認することができる。
まず、認証用ラベルは剥離行為表示部を備えるため、認証用ラベルを剥がして、或いは認証用ラベルを貼りかえて遊戯装置制御部をすりかえた場合、この剥離行為表示部が認証用ラベルの剥がされた事実を表示する。そのため、この剥離行為表示部の表示に基づいて、すなわち第一の認証により、すりかえ行為があったかどうか確認することができる。また、遊戯装置制御部のすりかえを行った者が偽造ラベルを貼付し、一見しただけでは、認証用ラベルの剥がされたことが確認できない場合でも、認証部が所定の光を照射して発光するかどうかにより、すなわち第二の認証により認証用ラベルの真偽の確認を行うことですりかえ行為があったかどうかを確認することができる。
更に、認証用ラベルの真偽は、認証部を表示するインキに含まれる人工ＤＮＡの抽出、分析により得られた結果に基づいて、すなわち第三の認証により、確認することができる。この人工ＤＮＡは、分析作業によらなければ得ることができずその偽造が困難なものであるため、第三の認証により認証用ラベルの真偽を高い信頼性において確認することができる。
【００１４】
なお、第三の認証は、人工ＤＮＡの抽出、分析作業を必要とすることから、光を照射するのみの第二の認証よりも真偽の確認に時間を要する。そのため、遊戯装置を所持する遊戯施設において、開店前や閉店後の短い時間ですりかえ行為があったかどうかを確認するには、第二の認証が好ましい。しかしながら、例えば、定期的に一部の認証ラベルについて第三の認証による真偽の確認を行うなど、第三の認証による確認作業を行うことにより、偽造を試みる者を牽制し、偽造の抑制を図ることになる。そして、偽造を抑制することにより結果として認証用ラベルの信頼性を高めることができる。
【００１５】
本発明にかかる認証用ラベルにおいて、シート状部材が二層で両層の接合部の所々に接合力の弱い部分が設けられていれば、認証用ラベルを剥がした場合、その接合力の弱い部分が遊戯装置制御部上に残ることによりシート状部材の全面に所定の印を浮き出させることができる。そのため、その所定の印を例えば「開封済」等の文字とすれば、シート状部材の全面、すなわち剥離行為表示部に剥離行為があった事実を、容易かつ明確に表示させることができる。また、本発明にかかる認証方法において、この所定の印の有無の確認を第一の認証とすれば、認証が極めて容易になる。
【００１６】
本発明にかかる認証方法において、認証用ラベルが、付与された通し番号に基づき管理されたものであれば、認証用ラベルの悪用を防止できる。例えば、遊戯装置を所持する遊戯施設の従業員がその施設内に保管されている未使用の認証用ラベルを悪用して遊戯装置制御部のすりかえ行為を行った場合には、認証用ラベルの通し番号が変わっていることによりすりかえ行為があったことを確認できる。
【００１７】
本発明にかかる認証方法において、認証用ラベルを遊戯装置制御部と遊戯装置制御部を取付けるための取付用部にわたって貼付すると、認証の対象である遊戯装置制御部が筐体の内部のみをすりかえることのできる構造を有するものであっても、すりかえ行為があったかどうかを確認できる。この際、認証の対象である遊戯装置制御部が、認証用ラベルを蝶番として機能させながら筐体を浮かせることによりその内部のみをすりかえることのできる構造を有するものであれば、認証用ラベルを、直線上に対向する少なくとも２点に貼付することで、すりかえ行為があったかどうかを確認できる。
【００１８】
一方、認証の対象である遊戯装置制御部が筐体ごとでなければすりかえることのできない構造を有するものであれば、認証用ラベルを遊戯装置制御部にのみ貼付しても、すりかえ行為があったかどうかを確認できる。
【発明を実施するための最良の形態】
【００１９】
図１を参照しながら、本発明にかかる認証用ラベルと認証方法の具体例を説明する。図１は、同認証用ラベルの使用状態を示す斜面図である。図２は、同認証用ラベルが使用される前の状態を示す平面図である。図３は、同認証用ラベルが遊戯装置制御部から剥がされた後の状態を示す平面図である。
【００２０】
認証用ラベル１は、裏面に粘着部を有するシート状部材からなり、そのシート状部材の表面に設けられた認証部２と、遊戯装置制御部４に貼付された後の剥離行為を示す剥離行為表示部３とを備える。
認証部２は、アデニン、シトシン、グアニン、チミンで構成した人工ＤＮＡと、所定の光を照射した場合にのみ発光をする蛍光剤と、を含有するインキで表示されている。
【００２１】
この認証用ラベル１によれば、遊戯装置制御部４から剥がされたかどうかを剥離行為表示部３により、そして認証用ラベル１そのものが偽造されたものであるかどうかを認証部２により確認することで、遊戯装置制御部４を偽物とすりかえる行為があったかどうかを高い信頼性において確認することができる。
【００２２】
シート状部材は二層となっており、両層の接合部の所々に接合力の弱い部分が設けられ、シート状部材の全面が剥離行為表示部３となっている。
こうすると、接合力の弱い部分が遊戯装置制御部４上に残ることによりシート状部材の全面に所定の印を浮き出させることができる。なお、この認証用ラベル１では、その所定の印が「開封済」という文字列となっており、シート状部材の全面、すなわち剥離行為表示部３に剥離行為があった事実を、容易かつ明確に表示させることができるようになっている。
【００２３】
この認証用ラベル１を用いた認証方法では、剥離行為表示部３の表示に基づいて行う第一の認証と、認証部２に所定の光を照射した場合の発光の有無に基づいて行う第二の認証と、人工ＤＮＡの抽出、分析により得られた結果に基づいて行う第三の認証の少なくとも一つの認証により、遊戯装置制御部４のすりかえ行為発生の有無を確認する。
【００２４】
まず、認証用ラベル１は剥離行為表示部３を備えるため、認証用ラベル１を剥がして、或いは認証用ラベル１を貼りかえて遊戯装置制御部４をすりかえた場合、この剥離行為表示部３が認証用ラベル１の剥がされた事実を表示する。そのため、この剥離行為表示部３の表示に基づいて、すなわち第一の認証により、すりかえ行為があったかどうか確認することができる。また、遊戯装置制御部４のすりかえを行った者が偽造ラベルを貼付し、一見しただけでは認証用ラベル１の剥がされたことが確認できない場合でも、認証部２が所定の光を照射して発光するかどうかにより、すなわち第二の認証により認証用ラベル１の真偽の確認を行うことですりかえ行為があったかどうかを確認することができる。
更に、認証用ラベル１の真偽は、認証部２を表示するインキに含まれる人工ＤＮＡの抽出、分析により得られた結果に基づいて、すなわちすなわち第三の認証により、確認することができる。この人工ＤＮＡは、分析作業によらなければ得ることができずその偽造が困難なものであるため、第三の認証により認証用ラベル１の真偽を高い精度で確認することができる。
【００２５】
なお、この認証用ラベル１を用いた場合、第一の認証は、シート状部材の全面に浮き出る「開封済」という文字列の有無の確認であるため、その認証が極めて容易になる。
【００２６】
認証用ラベル１は、付与された通し番号５に基づき管理されている。
こうすると、認証用ラベル１の悪用を防止できる。例えば、遊戯装置を所持する遊戯施設の従業員がその施設内に保管されている未使用の認証用ラベル１を悪用して遊戯装置制御部４のすりかえ行為を行った場合には、認証用ラベル１の通し番号５が変わっていることによりすりかえ行為があったことを確認できる。
【００２７】
認証用ラベル１は、遊戯装置制御部４と遊戯装置制御部４を取付けるための取付用部６にわたって貼付されるようになっている。
こうすると、遊戯装置制御部４が、筐体の内部のみをすりかえることのできる構造を有するものであっても、そのすりかえ行為があったかどうかを確認できる。この際、遊戯装置制御部４が、認証用ラベル１を蝶番として機能させながら筐体を浮かせることによりその内部のみをすりかえることのできる構造を有するものであれば、認証用ラベル１を、直線上に対向する少なくとも２点に貼付することで、すりかえ行為があったかどうかを確認できる。
【００２８】
なお、遊戯装置制御部４が、筐体ごとでなければすりかえることのできない構造を有するものである場合は、認証用ラベル１を遊戯装置制御部４にのみに貼付しても、すりかえ行為があったかどうかを確認できる。
【００２９】
認証部２を表示するインキが含有する蛍光剤として、所定波長の赤外線を所定強度で照射した場合にのみ発光するものを使用することができる。
そうすると、赤外線を照射するための装置は小型化することが比較的容易であり、また赤外線はその取り扱いも容易であることから、第二の認証に必要な照射装置を扱い易いものとして、第二の認証を遊戯施設の従業員が短時間で簡単に実施できるものとすることができる。
【図面の簡単な説明】
【００３０】
【図１】本発明にかかる認証用ラベルの使用状態を示す斜面図である。
【図２】同認証用ラベルが使用される前の状態を示す平面図である。
【図３】同認証用ラベルが遊戯装置制御部から剥がされた後の状態を示す平面図である。
【符号の説明】
【００３１】
１    認証用ラベル
２    認証部
３    剥離行為表示部
４    遊戯装置制御部
５    通し番号
【図１】
2005107154.tif 000003
【図２】
2005107154.tif 000004
【図３】
2005107154.tif 000005